(57)【要約】【課題】外部装置と通信可能な給水装置において意図しない動作を抑制する。【解決手段】給水装置は、建物に水を供給するための給水装置であって、外部装置と通信可能な通信部を備える。給水装置は、通信部と外部装置との通信に基づいて外部装置が所定条件を満たしているか否かを判定し、外部装置が所定条件を満たしていると判定したときに外部装置を認証する。そして、通信部は、外部装置が認証されているときに給水装置の各種情報を外部装置と通信することができる。【選択図】図６
2018062884.tif 000002
【特許請求の範囲】
【請求項１】
建物に水を供給するための給水装置であって、
外部装置と通信可能な通信部を備え、
前記給水装置は、前記外部装置が所定条件を満たしているか否かを判定し、前記外部装置が前記所定条件を満たしていると判定したときに前記外部装置を認証し、
前記通信部は、前記外部装置が認証されているときに前記給水装置の各種情報を前記外部装置と通信することができる、
給水装置。
【請求項２】
前記給水装置における各種設定情報を変更可能な設定部を更に備え、
前記各種設定情報には、当該各種設定情報の少なくとも一部の情報について前記外部装置からの信号に基づく変更を制限するための変更制限情報が含まれ、
前記給水装置は、前記外部装置からの信号と前記変更制限情報とに基づいて前記各種設定情報を変更可能である、
請求項１に記載の給水装置。
【請求項３】
ポンプを制御する制御部を更に備え、
前記設定部は、前記給水装置の制御のためのスイッチを更に有し、
前記制御部は、前記外部装置が認証されているときに前記スイッチの操作がなされたときには、前記スイッチの操作を無効とする、
請求項１または２に記載の給水装置。
【請求項４】
前記給水装置は、前記給水装置の各種情報を表示する表示部を更に有し、
前記表示部は、前記通信部が前記外部装置を認証しているときには所定の表示を行う、
請求項１から３の何れか１つに記載の給水装置。
【請求項５】
前記通信部は、前記外部装置が認証されているときには、認証されている前記外部装置とは異なる外部装置と通信しないことを特徴とする、
請求項１から４の何れか１つに記載の給水装置。
【請求項６】
前記外部装置の認証から所定時間が経過すると前記外部装置の認証が解除されることを特徴とする
請求項１から５の何れか１つに記載の給水装置。
【請求項７】
前記給水装置は、所定の設定モードにおいて前記設定部による前記各種設定情報の変更を許可し、且つ、前記所定の設定モードであるときには前記外部装置からの信号に基づく前記各種設定情報の変更を許可しない、
請求項１から６の何れか１つに記載の給水装置。
【請求項８】
前記通信部は、前記外部装置から電波を受信して該電波を電力に変換する制御部側アンテナ部を有する請求項１から７の何れか１つに記載の給水装置。
【請求項９】
前記通信部は、前記各種情報を近距離無線通信（ＮＦＣ）によって前記外部装置と通信する、請求項１から８の何れか１つに記載の給水装置。
【請求項１０】
前記給水装置の個体識別情報が記憶されるメモリを更に有し、
前記給水装置は、前記個体識別情報に対応する認証用情報を前記外部装置から受信したときに当該外部装置が前記所定条件を満たしていると判定して前記外部装置を認証する、
請求項１から９の何れか１つに記載の給水装置。
【請求項１１】
請求項１０に記載の給水装置と、
前記給水装置の個体識別情報と前記認証用情報とを関連付けて記憶しており、且つ、前記外部装置と通信可能である、外部サーバと、
を備え、
前記外部サーバは、前記給水装置の個体識別情報を前記外部装置から受信したときに、前記給水装置の個体識別情報に関連付けられた前記認証用情報を前記外部装置へ送信する、
給水システム。
【請求項１２】
前記外部サーバは、前記給水装置の個体識別情報に関連付けて当該給水装置の装置情報を記憶しており、前記給水装置の個体識別情報を前記外部装置から受信したときに、前記給水装置の個体識別情報に関連付けられた当該給水装置の装置情報を前記外部装置へ送信する、
請求項１１に記載の給水システム。
【請求項１３】
建物に水を供給するための給水装置であって、
前記給水装置における各種設定情報を変更可能な設定部と、
外部装置と通信可能な通信部と、
を備え、
前記各種設定情報には、当該各種設定情報の少なくとも一部の情報について前記外部装置からの信号に基づく変更を制限するための変更制限情報が含まれ、
前記給水装置は、前記外部装置からの信号と前記変更制限情報とに基づいて前記各種設定情報を変更可能である、
給水装置。
【請求項１４】
前記給水装置は、前記変更制限情報により前記各種設定情報の変更が制限されているときには、前記各種設定情報の変更に関して前記外部装置と通信しない、
請求項２を引用する請求項３から１２の何れか１つに記載の給水装置、または、請求項１３に記載の給水装置。
【請求項１５】
前記変更制限情報は、前記各種設定情報の情報ごとに、前記外部装置からの信号に基づく変更を制限できる情報であり、
前記給水装置は、前記各種設定情報のうち前記変更制限情報により変更が制限されていない情報については前記外部装置からの信号に基づいて変更可能であり、前記各種設定情報のうち前記変更制限情報により変更が制限されている情報については前記外部装置からの信号に基づいて変更しない、
請求項２を引用する請求項３から１２の何れか１つに記載の給水装置、もしくは、請求項１３または１４に記載の給水装置。
【請求項１６】
前記給水装置は、前記外部装置から不正な通信がなされたときには、前記各種設定情報の少なくとも一部の情報について前記外部装置からの信号に基づく変更が制限されるように前記変更制限情報を設定する、
請求項２を引用する請求項３から１２の何れか１つに記載の給水装置、もしくは、請求項１３から１５の何れか１つに記載の給水装置。
【発明の詳細な説明】
【技術分野】
【０００１】
本発明は、給水装置、及び、給水システムに関する。
【背景技術】
【０００２】
給水装置は、建物等の給水対象に水道水を供給するために広く使用されている。給水装置の給水方式としては、水道本管の水を一旦受水槽に貯留し、受水槽の水を給水対象へポンプにて加圧する受水槽方式、及び、水道本管の本管圧を利用しポンプにて増圧することにより給水対象へ水を供給する直結給水方式などが知られている。給水装置では、制御部によりポンプが制御され、例えばポンプの吐出側圧力に基づいて推定末端圧力一定制御または目標圧力一定制御が行われる。また、給水装置が複数台のポンプを備える場合には、給水量に応じて運転ポンプの台数制御、及び、起動するポンプをローテーションする制御が行われる。こうした制御部によるポンプの制御は、給水装置の設置状況および給水対象に応じて記憶部に予め記憶された設定値（設定情報）に基づいて行われる。
【０００３】
給水装置の設定情報は、建物等の使用状況および環境の変化に応じて変更が求められる場合がある。一般的に、設定情報の変更は、給水装置に設けられている運転パネルによって行われる。しかし、通常、給水装置は自動制御がなされるため、運転パネルが操作される機会は少ない。また、給水装置は、機械室またはポンプ室などの電気的なノイズが多い環境に設置されることがあり、電気的ノイズに強い７セグメントＬＥＤおよび表示灯などが使用されている。このため、運転パネルは比較的簡略化された構成になり、また設定情報を変更する操作は頻度も小さいため、利便性が重要視されずに操作が複雑になりやすい。特に、複数の設定情報を変更する場合には運転パネルの操作が煩雑となる。
【０００４】
そして、近年、携帯端末にて操作することができる給水装置が提案されている。携帯端末にて給水装置を操作することにより、給水装置の運転パネルを簡略化することができるとともに、携帯端末の操作部を利用して給水装置に不慣れなユーザーでも容易に給水装置を操作することができる。
【先行技術文献】
【特許文献】
【０００５】
【特許文献１】特開２００５−１７１７８８号公報
【発明の概要】
【発明が解決しようとする課題】
【０００６】
給水装置は、上記したように携帯端末にて操作することができものに加えて、インターネットなどを介して外部通信機器と通信できるものが提案されている。このように給水装置が携帯端末および外部通信機器などの外部装置と通信することができる場合には、給水装置に対して複数の外部装置から同時に通信が行われることが想定される。また、外部装置と給水装置とが通信しているときに運転パネルが操作されることも想定される。こうした場合、給水装置に対して複数の設定入力が同時になされたり、給水装置の設定情報が変更されているときに給水装置が操作されることにより、給水装置が意図しない動作をするおそれがある。
【０００７】
本発明は、上述した事情に鑑みてなされたもので、外部装置と通信可能な給水装置において意図しない動作を抑制することを目的とする。
【課題を解決するための手段】
【０００８】
（手段１）
本発明の給水装置は、建物に水を供給するための給水装置であって、外部装置と通信可能な通信部を備える。給水装置は、外部装置が所定条件を満たしているか否かを判定し、外部装置が所定条件を満たしていると判定したときに外部装置を認証する。そして、通信部は、外部装置が認証されているときに給水装置の各種情報を外部装置と通信することができる。
かかる構成により、給水装置は、外部装置が所定条件を満たして認証されているときに、給水装置の各種情報を外部装置と通信する。これにより、給水装置と認証されていない外部装置との間で各種情報が通信されることを防止でき、給水装置が意図しない動作をすることを抑制することができる。
【０００９】
（手段２）
手段１に記載の給水装置であって、給水装置における各種設定情報を変更可能な設定部を更に備えてもよい。また、各種設定情報には、当該各種設定情報の少なくとも一部の情報について外部装置からの信号に基づく変更を制限するための変更制限情報が含まれてもよい。そして、給水装置は、外部装置からの信号と変更制限情報とに基づいて各種設定情報を変更可能であってもよい。
こうすれば、外部装置からの信号により、給水装置における各種設定情報を変更することができる。また、変更制限情報の設定により、外部装置からの信号に基づく変更を制限でき、特に給水装置から離れた外部装置によって各種設定情報が意図しない情報に変更されることを防止できる。
【００１０】
（手段３）
手段１または２に記載の給水装置であって、ポンプを制御する制御部を更に備え、設定部は、給水装置の制御のためのスイッチを更に有してもよい。そして、制御部は、外部装置が認証されているときにスイッチの操作がなされたときには、スイッチの操作を無効としてもよい。
こうすれば、外部装置が認証されて給水装置と外部装置とが通信しているときに、設定部のスイッチが操作されたときに、給水装置が意図しない動作をすることを抑制できる。
【００１１】
（手段４）
手段１から３の何れか１つに記載の給水装置であって、給水装置は、給水装置の各種情報を表示する表示部を更に有してもよい。そして、表示部は、通信部が外部装置を認証しているときには所定の表示を行ってもよい。
こうすれば、外部装置の認証がなされているか否かを、表示部を操作するユーザーが認識できる。
【００１２】
（手段５）
手段１から４の何れか１つに記載の給水装置であって、通信部は、外部装置が認証されているときには、認証されている外部装置とは異なる外部装置通信しないものとしてもよい。
こうすれば、給水装置に対して複数の外部装置から同時に設定入力がなされることを防止でき、給水装置が意図しない動作をすることを抑制できる。
【００１３】
（手段６）
手段１から５の何れか１つに記載の給水装置であって、外部装置の認証から所定時間が経過すると外部装置の認証が解除されてもよい。
こうすれば、所定期間を超える長期間にわたって、設定部または他の外部装置から給水装置に対して設定入力が受け入れられないことを防止できる。
【００１４】
（手段７）
手段１から６の何れか１つに記載の給水装置であって、給水装置は、所定の設定モードにおいて前記設定部による各種設定情報の変更を許可してもよい。そして、給水装置は、所定の設定モードであるときには外部装置からの信号に基づく各種設定情報の変更を許可しなくてもよい。
こうすれば、操作表示部による設定入力がなされているときに外部装置からの設定入力が受け入れられることを防止できる。
【００１５】
（手段８）
手段１から７の何れか１つに記載の給水装置であって、通信部は、外部装置から電波を受信して該電波を電力に変換する制御部側アンテナ部を有してもよい。
【００１６】
（手段９）
手段１から８の何れか１つに記載の給水装置であって、通信部は、各種情報を近距離無線通信（ＮＦＣ）によって外部装置に送信してもよい。
【００１７】
（手段１０）
手段１から９の何れか１つに記載の給水装置であって、給水装置の個体識別情報が記憶されるメモリを更に有してもよい。そして、給水装置は、個体識別情報に対応する認証用情報を外部装置から受信したときに当該外部装置が所定条件を満たしていると判定して外部装置を認証してもよい。
【００１８】
（手段１１）
本発明に係る給水システムは、手段１０に記載の給水装置と、給水装置の個体識別情報と認証用情報とを関連付けて記憶しており、且つ、外部装置と通信可能である、外部サーバと、を備える。そして、外部サーバは、給水装置の個体識別情報を外部装置から受信したときに、給水装置の個体識別情報に関連付けられた認証用情報を外部装置へ送信してもよい。
こうすれば、外部装置は、外部サーバと通信して給水装置の認証用情報を取得することができ、取得した認証用情報を用いて給水装置から認証されることができる。これにより、認証におけるセキュリティを向上できる。
【００１９】
（手段１２）
手段１１に記載の給水システムであって、外部サーバは、給水装置の個体識別情報に関連付けて当該給水装置の装置情報を記憶していてもよい。そして、外部サーバは、給水装置の個体識別情報を外部装置から受信したときに、給水装置の個体識別情報に関連付けられた当該給水装置の装置情報を外部装置へ送信してもよい。
こうすれば、外部装置は、外部サーバと通信して給水装置の装置情報を取得することができる。外部装置は、取得した装置情報に基づいて、外部装置における表示を変更してもよいし、給水装置と通信する内容を変更してもよい。
【００２０】
（手段１３）
本発明の別の給水装置は、建物に水を供給するための給水装置であって、給水装置における各種設定情報を変更可能な設定部と、外部装置と通信可能な通信部と、を備える。各種設定情報には、当該各種設定情報の少なくとも一部の情報について外部装置からの信号に基づく変更を制限するための変更制限情報が含まれる。そして、給水装置は、外部装置からの信号と変更制限情報とに基づいて各種設定情報を変更可能である。
かかる構成により、外部装置からの信号により、給水装置における各種設定情報を変更することができる。また、変更制限情報の設定により、外部装置からの信号に基づく変更を制限でき、特に給水装置から離れた外部装置によって各種設定情報が意図しない情報に
変更されることを防止できる。
【００２１】
（手段１４）
手段２を引用する手段３から１２の何れか１つに記載の給水装置、または、手段１３に記載の給水装置であって、給水装置は、変更制限情報により各種設定情報の変更が制限されているときには、各種設定情報の変更に関して外部装置と通信しなくてもよい。
こうすれば、給水装置は、変更制限情報により各種設定情報の変更が制限されているときに、外部装置によって各種設定情報が変更されることを防止できる。
【００２２】
（手段１５）
手段２を引用する手段３から１２の何れか１つに記載の給水装置、もしくは、手段１３または１４に記載の給水装置であって、変更制限情報は、各種設定情報の情報ごとに、外部装置からの信号に基づく変更を制限できる情報であってもよい。そして、給水装置は、各種設定情報のうち変更制限情報により変更が制限されていない情報については外部装置からの信号に基づいて変更可能であり、各種設定情報のうち変更制限情報により変更が制限されている情報については外部装置からの信号に基づいて変更しないものであってもよい。
こうすれば、変更制限情報によって、各種設定情報のうち一部の情報の変更を禁止し、残部の情報の変更を許可することができる。
【００２３】
（手段１６）
手段２を引用する手段３から１２の何れか１つに記載の給水装置、もしくは、手段１３から１５の何れか１つに記載の給水装置であって、給水装置は、外部装置から不正な通信がなされたときには、各種設定情報の少なくとも一部の情報について外部装置からの信号に基づく変更が制限されるように変更制限情報を設定してもよい。
こうすれば、外部装置から不正な通信がなされたときに、各種設定情報の少なくとも一部の情報について外部装置による変更を禁止することができ、不正アクセスに対するセキュリティの向上を図ることができる。
【図面の簡単な説明】
【００２４】
【図１】本発明の実施形態に係る給水装置の一例を示す平面図である。
【図２】本発明の実施形態に係る給水装置の一例を示す正面図ある。
【図３】本発明の実施形態に係る給水装置の一例を示す左側面図である。
【図４】制御部の一例を示す概略ブロック構成図である。
【図５】制御部により実行される設定情報変更処理の一例を示すフローチャートである。
【図６】制御部により実行される操作表示部設定処理の一例を示すフローチャートである。
【図７】変形例の制御部および外部表示器を示す図である。
【図８】給水システムの一例を示す図である。
【発明を実施するための形態】
【００２５】
以下、本発明の実施形態について図面を参照して説明する。なお、図面では同一または相当する構成要素には同一の符号を付して、重複した説明を省略する。
【００２６】
図１〜図３は本発明の実施形態に係る給水装置の一例を示す模式図であり、図１は平面図、図２は正面図、図３は左側面図である。図示するように給水装置１０は、ベース２０の上に、二台のポンプ３０Ａ，３０Ｂと、これらポンプ３０Ａ，３０Ｂの中間に配置される圧力タンク５０とが載置されている。また、給水装置１０は、ポンプ３０Ａ，３０Ｂの吐出側に接続される吐出配管４０と、圧力タンク５０の上部に設置される制御盤６０とを具備して構成されている。以下各構成部品について説明する。
【００２７】
まず、給水装置１０の建物への給水方式としては、水道本管の水を一旦受水槽に貯留し、受水槽の水を給水対象へポンプにて増圧する受水槽方式、及び、水道本管の本管圧を利用しポンプにて増圧することにより給水対象へ水を供給する直結給水方式などがある。また、給水対象への給水方式としては、ポンプにて増圧した水を直接圧送する直送式、または、ポンプにて増圧した水を屋上のタンクに一旦貯留し、自然流下にて給水を行う高置水槽方式等がある。
【００２８】
ベース２０は略矩形の平板状で、長手方向の両側辺は下方向に折り曲げられた後に外方向に折り曲げられることで、Ｌ字状の固定辺２３，２３を構成している。
【００２９】
ポンプ３０Ａ，３０Ｂは、それぞれポンプ部３１Ａ，３１Ｂと、これらを駆動するモータ部３３Ａ，３３Ｂとを備えている。ポンプ部３１Ａ，３１Ｂの手前側の端面には、図示しない受水槽または水道本管から分岐した供給管(不図示)を接続する吸込部３５Ａ，３５Ｂが設けられ、またポンプ部３１Ａ，３１Ｂの上面には吐出部３７Ａ，３７Ｂが設けられている。なお、直結給水方式の場合には、吸込部３５Ａ，３５Ｂが水道本管から分岐した供給管に逆流防止装置(不図示)を介して接続され、供給管には、水道本管の圧力を検出する図示しない圧力センサが設けられる。以下、供給管に設けられる水道本管の圧力を計測する圧力センサにより検出される圧力値を「吸込側圧力」という。
【００３０】
吐出配管４０は略Ｔ字状の配管であり、両ポンプ３０Ａ，３０Ｂの吐出部３７Ａ，３７Ｂに、フロースイッチ４９Ａ，４９Ｂ、及びチェッキ弁（逆止弁）４７Ａ，４７Ｂを介してその両端が接続されている。また吐出配管４０の中央には吐出集合管４３が設けられている。これによって両ポンプ３０Ａ，３０Ｂの吐出側は並列に接続され、両ポンプ３０Ａ，３０Ｂの吐出流体は吐出集合管４３にて合流する。またチェッキ弁４７Ａ，４７Ｂによって、ポンプ３０Ａ，３０Ｂが停止したときに吐出配管４０内の水がポンプ３０Ａ，３０Ｂ側に逆流しない。また吐出配管４０の中央の下部にはこの吐出配管４０を圧力タンク５０に連結する連結配管４５が取り付けられ、さらに吐出配管４０には配管内圧力を検出する圧力センサ４８が取り付けられている。そして圧力タンク５０とチェッキ弁４７Ａ，４７Ｂの効果によって、ポンプ３０Ａ，３０Ｂが停止した後の吐出配管４０内の圧力は、水が使用されない限り一定圧力に保持される。以下、圧力センサ４８により検出される圧力値を「吐出側圧力」という。
【００３１】
なお、本実施例ではポンプ３０Ａ，３０Ｂとポンプ２台の構成だが、ポンプ台数は１台もしくは３台以上の複数台の構成としてもよい。
【００３２】
制御盤６０は、ケース６１内に、ポンプの運転制御を行う各種電気回路からなる制御部６５を内蔵して構成されている。この制御部６５は、外部表示器８０と有線または無線により通信する通信部７３を備えている。外部表示器８０としては、例えばスマートフォン、携帯電話、パソコン、タブレット等の汎用端末機器、または遠隔監視器などの専用端末機器が採用される。
【００３３】
図４は、制御部の一例を示す概略ブロック構成図である。図示するように、制御部６５は、制御用メモリ６６と、演算部６９と、Ｉ／Ｏ部（入力部および出力部）７０と、通信部７３と、運転パネル（操作表示部）７９と、を備えている。運転パネル（操作表示部）７９は、設定部７１と、表示部７２とを備えている。
【００３４】
また、図３のように制御部６５は通信部７３と別々の基板としてもよい。その場合は、制御部６５と通信部７３はシリアル通信や信号線等にて接続される。制御部６５と通信部７３を別々の基板とした場合は、給水装置１０から離れた場所（例えば、管理人室や遠隔
監視室等）に設置し、制御部６５とシリアル通信、信号線または無線通信等で接続された遠隔監視器内に通信部７３を構成してもよい。
【００３５】
設定部７１は、外部操作により、給水を行うのに必要な各種設定値（設定情報）を設定するのに使用される（設定入力）。設定部７１において設定された各種設定値は、制御用メモリ６６に記憶される。一例として、ユーザーは、設定部７１を介して、停止圧力、始動圧力、及び、その他制御に必要な情報を設定情報として入力（設定入力）し、変更できるようになっている。
【００３６】
設定情報には、外部表示器８０による設定情報の変更を制限する変更制限情報が含まれてもよい。変更制限情報によって設定情報の変更が禁止されているときには、外部表示器８０から設定情報を変更することができない。この場合には、設定部７１を通じて変更制限情報を変更することで、外部表示器８０による設定情報の変更が許容される。これにより、例えば、メンテナンス作業中に、第三者が外部表示器８０により設定情報を変更することを防止することができる。また、給水装置１０は、マンションやビルの道路に面した外壁面に設置されることもあり、第三者が外部表示器８０を用いて不正なアクセスすることが懸念される。これら不正アクセスが確認された場合に、制御部６５は、変更制限情報を変更することによって、外部表示器８０による設定情報の変更を禁止するとよい。そうすれば、外部表示器８０にて設定入力ができなくなり、第三者における不正アクセス等を防止することができる。更に、制御部６５は、変更制限情報にて外部表示器８０による通信を禁止してもよい。そうすれば、外部表示器８０にて給水装置１０の各種情報を閲覧することもできなくなるため、不正アクセスへのセキュリティがより向上することとなる。なお、変更制限情報は、設定情報の内容ごとに設定できるものとしてもよい。
【００３７】
本実施形態では設定部７１には、各種設定情報を設定する設定モードとするための設定ボタン７５が備えられている。設定ボタン７５が所定時間（例えば１秒）長押しされると設定部７１（操作表示部７９）は設定モードとなり、ユーザーは、設定部７１より各種設定情報を設定することができる。
【００３８】
表示部７２は、ユーザーインターフェースとして機能し、制御用メモリ６６に格納されている設定値等の各種データや、現在のポンプ３０Ａ，３０Ｂの運転状況（運転情報）、例えばポンプ３０Ａ，３０Ｂのそれぞれの運転または停止、運転周波数、電流、吸込側圧力、吐出側圧力、モータ部３３Ａ，３３Ｂを駆動するインバータのトリップ、吸入側圧力低下警報、及び、受水槽警報等を表示する。
【００３９】
制御用メモリ６６としては、ＲＯＭ、ＨＤＤ、ＥＥＰＲＯＭ、ＦｅＲＡＭ、及び、フラッシュメモリ等の不揮発性メモリと、ＲＡＭ等の揮発性メモリが使用される。制御用メモリ６６には、給水装置１０を制御するための制御プログラム、給水装置１０の装置情報、故障履歴、運転履歴、及び、設定部７１を通じて入力された設定情報等が格納されている。また、制御用メモリ６６には、各種データ、例えば演算部６９における演算結果のデータ（運転時間、積算値等）、圧力値（吸込側圧力、吐出側圧力）、設定部７１を通じて入力された設定情報、及びＩ／Ｏ部７０を通じて入力される、またはＩ／Ｏ部７０を通じて出力されるデータ等も格納される。
【００４０】
Ｉ／Ｏ部７０としては、ポート等が使用される。Ｉ／Ｏ部７０は、圧力センサ４８の入力信号、及び、フロースイッチ４９Ａ，４９Ｂの信号等を受け入れて演算部６９に送る。演算部６９としては、ＣＰＵが使用される。演算部６９は、制御用メモリ６６に格納されているプログラム及び各種データ、並びにＩ／Ｏ部７０から入力される信号に基づいて、ポンプ３０Ａ，３０Ｂを運転するための各種データの設定、計時、及び、演算等を行う。
【００４１】
また、Ｉ／Ｏ部７０とポンプ３０Ａ，３０Ｂを駆動するインバータとは、ＲＳ４２２，２３２Ｃ，４８５等の通信手段により互いに接続される。Ｉ／Ｏ部７０からポンプ３０Ａ，３０Ｂへは、各種設定値や周波数指令値、発停信号（運転・停止信号）などの制御信号がインバータへ送られ、ポンプ３０Ａ，３０ＢからＩ／Ｏ部７０へは、実際の周波数値や電流値等の運転状況（運転情報）がインバータから逐次送られる。
【００４２】
なお、Ｉ／Ｏ部７０とポンプ３０Ａ，３０Ｂを駆動するインバータとの間で送受信される制御信号としては、アナログ信号および／またはデジタル信号を用いることができる。例えば、回転周波数等にはアナログ信号を用い、運転停止指令等にはデジタル信号を用いることができる。また、３０Ａ，３０Ｂの可変速制御を行わない場合はインバータはなくてもよい。
【００４３】
通信部７３は、有線通信または無線通信によって外部表示器８０と通信可能なように構成されている。無線通信としては、例えば近距離無線通信（ＮＦＣ：Near  Field  Communication）の技術を利用することができる。また、Ｂｌｕｅｔｏｏｔｈ（登録商標）およびＷｉ−Ｆｉなど、任意の方式の無線通信を利用することができる。ただし、ＮＦＣは、制御部６５と外部表示器８０とを近づけるだけで通信を完了させることができる点で有利である。また、有線通信としては、例えば制御部６５にＵＳＢ（Universal  Serial  Bus）のような外部接続端子が設けられ、ここに外部表示器８０が接続されることによって通信がなされてもよいし、ＲＳ４２２，２３２Ｃ，４８５等のシリアル通信を用いてもよい。
【００４４】
本実施形態では、表示部７２として、７セグメントＬＥＤ及び表示灯などの簡易な表示器を採用することができる。ただし、表示部７２は、こうした例に限定されず、ドットマトリクス方式による液晶表示器などであってもよい。また、外部表示器８０として、タッチ入力方式または押圧ボタン方式を用いた液晶画面での高機能表示器を採用することができる。この場合、表示部７２には簡易な情報を表示でき、外部表示器８０には大きな情報量の情報を表示できる。こうした構成により、外部表示器８０に、制御部６５によるポンプ３０Ａ，３０Ｂの運転状況に関した情報など（例えば、目標圧ＳＶ、現在圧ＰＶ、ポンプ３０Ａ，３０Ｂの運転・停止、及び、ポンプ３０Ａ，３０Ｂの周波数など）を同一画面上に表示することによって、給水装置に不慣れなユーザーも誤解することなく、給水装置１０の状態を認識したり、設定変更を行うことができる。また、給水装置１０は、機械室またはポンプ室などの電気的なノイズの多い環境に設置されることがある。こうした場合に備えて、表示部７２として、液晶表示やタッチパネルよりも電気的ノイズに強い７セグメントＬＥＤや表示灯、機械的な押圧ボタンなどにて構成された表示器が使用されてもよい。これにより、外部環境から発生される電気的なノイズによって外部表示器８０の液晶表示やタッチパネル操作に異常が発生した場合でも、表示部７２により給水装置１０の運転に必要な最低限度の表示および操作を行うことができる。したがって、給水装置１０を電気的ノイズの多い環境下にも設置することができる。
【００４５】
さらに、外部表示器８０として、スマートフォン、携帯電話、パソコン、又は、タブレットなどの汎用端末機器を採用した場合には、これらの機器に、外部表示器８０として作用するための専用のアプリケーションソフトウエアをインストールさせてもよい。この場合には、専用のアプリケーションソフトウエアをユーザーのレベル又は目的に沿って複数用意してもよい。
【００４６】
なお、制御部６５に運転パネル７９もしくは表示部７２が設けられずに、外部表示器（高機能表示器）８０のみが設けられてもよい。この場合、上述した運転パネル７９の機能は外部表示器８０にて全て実施可能とする。給水装置１０には表示器自体を設ける必要がなくなるので、給水装置１０全体のコストを更に下げることが可能である。
【００４７】
次に、制御部６５による給水装置１０の給水制御（自動運転モード）について説明する。ポンプ３０Ａ，３０Ｂが停止している状態で吐出側圧力が所定の始動圧力にまで低下すると、制御部６５はポンプ３０Ａ，３０Ｂの少なくとも一方を始動させる。具体的には、制御部６５はポンプ３０Ａ，３０Ｂの駆動を開始するようにモータ部３３Ａ，３３Ｂ（インバータを備える場合にはインバータ）に指令を出す。ポンプ３０Ａ，３０Ｂの運転中は、設定された圧力（設定圧）により推定末端圧力一定制御または目標圧力一定制御などの制御が行われる。具体的には推定末端圧力一定制御の場合はポンプ３０Ａ，３０Ｂの回転数と目標圧力制御カーブとを用いて目標圧（ＳＶ）を設定し、目標圧力一定制御の場合は設定圧を目標圧（ＳＶ）とする。また、吐出側圧力を現在圧（ＰＶ）とする。そして、ＳＶとＰＶの偏差にてＰＩＤ演算を行いポンプ３０Ａ，３０Ｂの指令回転数が設定される。なお、直結給水にて推定末端圧力一定制御を行う場合、吸込側圧力に基づいて目標圧力制御カーブを補正してもよい。具体的には目標圧力制御カーブを吸込側圧力だけ加算し、目標圧（ＳＶ）を算出する。また、制御部６５は、本実施形態のようにポンプが複数台ある場合は、同時に起動可能なポンプ台数（ポンプ並列運転台数）にて水量に応じたポンプの台数制御も行われる。
【００４８】
ポンプ３０Ａ，３０Ｂの運転中に建物での水の使用が少なくなると、フロースイッチ４９Ａ，４９Ｂは、過少水量を検出し、その検出信号を制御部６５に送る。制御部６５はこの検出信号を受け、ポンプ３０Ａ，３０Ｂに指令を出して吐出側圧力が所定の運転停止圧力に達するまでポンプ３０Ａ，３０Ｂの回転数を増加させ、圧力タンク５０に蓄圧した後ポンプ３０Ａ，３０Ｂを停止（小水量停止）させる。ポンプ３０Ａ，３０Ｂが小水量停止した後に、再び建物内で水が使用されると吐出側圧力が始動圧力以下まで低下しポンプ３０Ａ，３０Ｂが始動する。なお、本実施形態のようにポンプが複数台ある場合には、始動するポンプ３０Ａ，３０Ｂをローテーションさせ、ポンプ３０Ａ，３０Ｂ内に水が滞留するのを防ぐことが好ましい。また、小水量を検知する方法としては、フロースイッチ４９Ａ，４９Ｂを用いずに、モータ部３３Ａ，３３Ｂの電流値による低負荷や締切圧力等その他の手段を用いてもよい。
【００４９】
図５は、制御部により実行される設定情報の変更処理の一例を示すフローチャートである。本実施形態の設定情報変更処理は、給水装置１０と外部表示器８０との通信が確立したときに開始される。ここで、制御部６５は、外部表示器８０による設定情報の変更を制限する変更制限情報を参照し、外部表示器８０との通信を確立するか否かを判断してもよい。具体的は、変更制限情報によって設定情報の変更が禁止されているときには、外部表示器８０からの通信要求を拒否し、図５の処理を行わない。
【００５０】
制御部６５は、設定情報変更処理を開始すると、まず、操作表示部（運転パネル）７９が設定モードであるか否かを判定する（ステップＳ１００）。設定モードは、ユーザーが操作表示部７９を用いて設定変更を行っている状態を示す。例えば、ユーザーによって設定ボタン７５が所定時間（例えば１秒）長押しされたときに設定モードが選択された状態となる。次に、制御部６５は、ステップＳ１０５にて、入力許可フラグＦｐの状態により他の外部表示器８０による認証がなされているか否かを確認する。入力許可フラグＦｐは、認証中を示すフラグである。いまは、操作表示部７９が設定モードではなく、且つ他の外部表示器８０における認証がなされていないときを考える。
【００５１】
操作表示部７９が設定モードでなく（Ｓ１００：Ｎｏ）、入力許可フラグＦｐが値０であるときには（Ｓ１０５：Ｙｅｓ）、制御部６５は、通信している外部表示器８０を認証するか否か判定する（ステップＳ１１０）。ステップＳ１１０の処理は、設定情報の変更指令（設定入力）を送信している外部表示器８０が所定条件を満たす適正な権限を有するか否かを確認する処理であり、制御部６５は、例えば所定のパスワードを受信したときに
外部表示器８０を認証すると判断する。制御部６５は、外部表示器８０を認証できないときには（Ｓ１１０：Ｎｏ）、そのまま設定情報変更処理を終了する。また、制御部６５は、外部表示器８０が認証されないときに、または所定回数（例えば３回）連続して外部表示器８０が認証されないときに、給水装置１０に対して不正アクセスが確認されたと判断してもよい。このときには、制御部６５は、少なくとも一部の設定情報について変更が制限されるように変更制限情報を設定してもよい。
【００５２】
なお、ステップＳ１１０における認証手段は、外部表示器８０との通信を用いた手段に限らない。制御部６５は、操作表示部７９等における所定の操作により外部表示器８０を認証してもよい。その場合、ステップＳ１００とステップＳ１０５の処理は省略しても良い。一例として、ユーザーが操作表示部７９を用いて、パスワードや外部表示器８０固有の機器情報を入力する等の所定の操作を行うことにより外部表示器８０を認証してもよい。又は、制御部６５の基板上や設定部７１に外部表示器８０による通信を許可するためのスイッチやボタンを設けたり、操作手順を設けても良い。これらの給水装置１０の操作による認証手段を設けることにより、外部表示器８０のアプリケーションソフトウエアを第三者に偽造されても、給水装置１０の操作における認証がなされない限りは、設定入力が許可されないことを意味する。また、これらの認証方法を外部表示器８０を操作するユーザー毎(例えば、一般ユーザやメンテナンス作業員等)にレベル分けしてもよい。例えば、一般ユーザーが変更可能な設定情報の認証は、外部表示器のアプリケーションソフトウエアにて行い、メンテナンス作業員にのみ変更可能な設定情報の認証は、操作表示部７９を用いた認証手段とする。ユーザーレベル毎に書き換え可能な設定情報を分けることにより、給水装置１０の設定情報の設定ミスを予防すると共に設定入力に対するセキュリティが向上する。
【００５３】
外部表示器８０を認証するときには（Ｓ１１０：Ｙｅｓ）、制御部６５は、入力許可フラグＦｐに値１を設定し（ステップＳ１２０）、許可時間カウンタＣｐをリセットして計時を開始する（ステップＳ１３０）。これにより、制御部６５が設定入力許可状態となる。また、許可時間カウンタＣｐは、外部表示器８０の認証が行われてからの時間、つまり、制御部６５が入力許可状態とされてからの時間を示す計時値である。
【００５４】
続いて、制御部６５は、外部表示器８０から設定変更が要求されているか否かを判定する（ステップＳ１４０）。いまは、外部表示器８０から設定変更が要求されているときを考える。設定変更が要求されているときには（Ｓ１４０：Ｙｅｓ）、制御部６５は、設定変更の要求が適正であるか否かを判定する（ステップＳ１５０）。制御部６５は、例えば、設定変更の要求が設定情報の変更を許容する許容範囲内にあるか否かを判定する。この許容範囲は、例えば設定値として許容される上限値と下限値との少なくとも一方としてもよいし、現在記憶されている設定値から変更が許容される変更量の上限値としてもよい。また、制御部６５は、外部表示器８０から受信した信号が予め定められた符号化規則に従っているか否かを判定してもよい。この判定としては、例えばパリティビットまたはチェックサム等を用いた誤り検出が挙げられる。また、制御部６５は、外部表示器８０から受信した信号の同期コードが一致しているか否か、外部表示器８０との通信に異常が生じているか否かを合わせて判定してもよい。
【００５５】
さらに、制御部６５は、変更制限情報によって変更が制限されている設定情報に対して変更が要求されているときには、設定変更の要求が適正でないと判定してもよい。特に変更制限情報によって設定情報の一部の変更が制限されているときに複数の設定情報の変更が要求されているときには、変更が制限されている設定情報に対する変更の要求は適正でなく、変更が制限されていない設定情報に対する変更の要求は適正であると判定してもよい。これにより、変更制限情報によって、一部の設定情報の変更が制限され、残部の設定情報の変更が許可される。
【００５６】
外部表示器８０からの設定変更の要求が適正でないときには（Ｓ１５０：Ｎｏ）、制御部６５は、所定の繰り返し回数（例えば１０回など）連続して適正でない判断がなされていないか否か判定する（ステップＳ１６０）。適正でない判断が所定の繰り返し回数未満であるときには（Ｓ１６０：Ｎｏ）、制御部６５は、一時的な通信のエラーと判断して、再びステップＳ１４０の処理に戻り、外部表示器８０からの設定変更の要求を受信する。一方、適正でない判断が所定の繰り返し回数連続したときには（Ｓ１６０：Ｙｅｓ）、制御部６５は、外部表示器８０からの設定情報の変更を受け入れられないと判断し、入力許可フラグＦｐに値０を設定して（ステップＳ１８０）、設定情報変更処理を終了する。これにより、外部表示器８０からの設定入力は受け入れられず、制御部６５の入力許可状態が解除される。
【００５７】
そして、外部表示器８０からの設定変更の要求が適正であるときには（Ｓ１５０：Ｙｅｓ）、制御部６５は、制御用メモリ６６に設定情報を記憶する（ステップＳ１６０）。続いて、制御部６５は、許可時間カウンタＣｐを参照値Ｃｒｅｆと比較する（ステップＳ１７０）。制御部６５は、許可時間カウンタＣｐが参照値Ｃｒｅｆ以下のときには（Ｓ１７０：Ｎｏ）、再びステップＳ１４０の処理に戻り、外部表示器８０から設定変更が要求されていないか判定する。ステップＳ１７０の処理は、外部表示器８０の認証が行われてから所定時間（例えば数秒など）が経過したか否かを判定する処理である。そして、所定時間が経過するまでは、再度の認証を行わずに再び外部表示器８０からの設定情報の変更指令を受け入れる。これにより、給水装置１０と外部表示器８０との認証の手続きに必要な通信回数を削減することができ、通信の効率化を図ることができる。ただし、こうした例に限定されず、制御部６５は、設定情報を変更して記憶する毎に、外部表示器８０に対して認証処理を行ってもよい。
【００５８】
制御部６５は、外部表示器８０から複数の設定情報の変更指令がなされているときには、ステップＳ１４０〜Ｓ１７０の処理を繰り返して実行する。また、制御部６５は、外部表示器８０から設定変更の要求がなされていないときには（Ｓ１４０：Ｎｏ）、ステップＳ１７０に進んで、許可時間カウンタＣｐを参照値Ｃｒｅｆと比較する。そして、許可時間カウンタＣｐが参照値Ｃｒｅｆを超えているときには（Ｓ１７０：Ｙｅｓ）、制御部６５は、入力許可フラグＦｐに値０を設定して（ステップＳ１８０）、設定情報変更処理を終了する。これにより、外部表示器８０の認証がなされてから所定時間が経過したときには、外部表示器８０の認証が解除される。
【００５９】
ステップＳ１６０にて正常に設定変更がなされる度に、許可時間カウンタＣｐをリセットし計時をリスタートさせてもよい。そうすることで、連続して多量の設定値を変更する際にも、設定変更途中で許可時間カウンタＣｐがカウントアップすることなく設定値変更が終了するまで認証を維持することができる。
【００６０】
ステップＳ１００の処理において操作表示部７９が設定モードであるとき（Ｓ１００：Ｙｅｓ）、制御部６５は、そのまま設定情報変更処理を終了する。これにより、操作表示部７９において設定情報が変更されているときには、外部表示器８０が認証されないので、外部表示器８０から設定情報の変更がなされてしまうことを防止できる。また、ステップＳ１１０の処理において入力許可フラグＦｐが値１のときには（Ｓ１０５：Ｎｏ）、既に他の外部表示器によって入力許可状態とされていると判断して、外部表示器８０の認証要求が受付けられないので、複数の外部表示器８０からの設定入力が受け入れられることを防止できる。ここで、本実施形態では、外部表示器８０の認証がなされてから所定時間が経過したときには外部表示器８０の認証が解除されるので、長時間にわたって認証された外部表示器８０以外の何等か手段における設定情報の変更が受け入れられない状態が継続されることを防止できる。
【００６１】
また、ステップＳ１００の処理において操作表示部７９が設定モードであるとき（Ｓ１００：Ｙｅｓ）、制御部６５は、外部表示器８０に設定モードである報知を行ってもよい。外部表示器８０は、給水装置１０より通信部設定モードである報知を受信したら、設定不可である旨をユーザーに報知するとよい。更に、外部表示器８０は、許可フラグＦｐの状態や許可時間カウンタＣｐの状態を表示してもよい。そうすることで、外部表示器８０のユーザーは給水装置１０の状態を確認することが出来る。
【００６２】
次に、本実施形態の操作表示部（運転パネル）７９が操作されたときの制御について説明する。図６は、制御部により実行される操作表示部の設定に関する処理の一例を示すフローチャートである。この操作表示部設定処理は、ユーザーによって操作表示部７９が操作されたときに開始される。
【００６３】
操作表示部設定処理が開始されると、制御部６５は、まず入力許可フラグＦｐが値０であるか否かを判定する（ステップＳ２００）。上記したように、入力許可フラグＦｐは、外部表示器８０から設定入力が受信され、外部表示器８０の認証がなされているときに値１が設定される。
【００６４】
入力許可フラグＦｐが値０のときには（Ｓ２００：Ｙｅｓ）、制御部６５は、外部表示器８０による設定入力は行われていないと判断し、操作表示部７９の操作を有効にする（ステップＳ２１０）。続いて、制御部６５は、設定ボタン７５が所定時間にわたって押されることにより設定モードが要請されているか否かを判定する（ステップＳ２２０）。そして、設定モードが要求されていない時には（Ｓ２２０：Ｎｏ）、そのまま操作表示部設定処理を終了し、設定モードが要求されているときには（Ｓ２２０：Ｙｅｓ）、操作表示部７９を設定モードにして（ステップＳ２３０）、操作表示部設定処理を終了する。操作表示部７９が設定モードに設定されることにより、ユーザーは、操作表示部７９を操作して設定情報を変更することができる。また、このときには、上記した図５の設定情報変更処理のステップＳ１００の処理において、操作表示部７９が設定モードであると判定され、外部表示器８０による設定入力が受け入れられない。
【００６５】
ステップＳ２００で入力許可フラグＦｐが値１のときには（Ｓ２００：Ｎｏ）、制御部６５は、操作表示部７９の操作を無効にする（ステップＳ２４０）。これにより、外部表示器８０によって設定情報が変更されているときに、操作表示部７９が操作されて給水装置１０が誤作動してしまうことを抑制できる。ここで、制御部６５は、操作表示部７９の操作を無効にしているときに、操作表示部７９のトグルスイッチまたはプッシュスイッチ等のスイッチ（図示せず）が操作されたときには、外部表示器８０による入力許可状態が解除された後に、スイッチの操作に基づく制御を行ってもよい。こうした制御により、外部表示器８０によって設定情報が変更されているときに操作表示部７９のスイッチが操作されても、給水装置１０が意図しない動作をすることを抑制できる。
【００６６】
また、制御部６５は、入力許可フラグＦｐが値１のときには、外部表示器８０による入力許可状態であることを操作表示部７９に表示して（ステップＳ２５０）、操作表示部設定処理を終了する。操作表示部７９での表示は、任意のものとすることができ、例えば、表示部７２の７セグメントＬＥＤ（図示せず）に、「Ｃｏｎ」を模した記号を表示してもよい。これにより、外部表示器８０による入力許可状態であることを、操作表示部７９を操作するユーザーが認識できる。
【００６７】
なお、図４の構成において、操作表示部７９に演算部(不図示)やメモリ(不図示)を追加で設けても良い。また、通信部７３にも演算部(不図示)やメモリ(不図示)を追加で設けても良い。その場合、図５および図６の処理はどの演算部にて行ってもよい。演算部を複数
に分散させることにより、例えば、給水に関する処理を演算部６９にて実施し、外部表示器８０との認証処理を通信部の演算部にて実行し、表示操作に関する処理を表示部の演算部にて実施するとよい。これにより同時に処理できる工程が増え、処理速度が向上する。また、給水装置１０に関連する各種設定値や各種情報も、どの記憶部にて保存してもよいし、複数のメモリに記憶してもよい。それにより、複数のメモリのうち何れかが破損した場合でも、正常に動作するメモリの情報を用いて、給水装置１０に関連する各種設定値や各種情報を復旧させることができる。
【００６８】
図４の他の構成として、演算部６９および制御用メモリ６６は、操作表示部７９に設けてもよいし、通信部７３に設けてもよいし、操作表示部７９や通信部７３を制御部６５と別基板として、通信やバスにて接続する構成としてもよい。
【００６９】
（変形例）
図７は、変形例の制御部および外部表示器を示す図である。変形例では、通信部７３が、制御部側アンテナ部７６、及び、集積回路７７を備えている。集積回路７７は、制御部側アンテナ部７６、記憶部７８に電気的に接続されている。なお、図７に示す制御部６５Ａは表示部７２を備えていないが、表示部７２を備えてもよい。また、変形例の制御部６５Ａは、ポンプ３０Ａ，３０Ｂ等の給水装置１０の他の構成と一体に設けられていてもよいし、給水装置１０のデータを中継するための装置として給水装置１０の他の構成から離れて設けられてもよい。
【００７０】
変形例の外部表示器８０は、電波を送受信する表示器側アンテナ部８１と、表示部８２と、バッテリー８３と、データリーダー８４と、を備えている。この外部表示器８０では、表示器側アンテナ部８１で受信したデータがデータリーダー８４で読み取られる。そして、データリーダー８４で読み取られたデータ（例えば、目標圧ＳＶ、現在圧ＰＶ、ポンプ３０Ａ，３０Ｂの周波数など）が表示部８２で表示される。バッテリー８３は、表示器側アンテナ部８１、データリーダー８４、および表示部８２に電力を供給する。
【００７１】
外部表示器８０として、例えばスマートフォン、携帯電話、パソコン、タブレット等の汎用端末機器を用いてもよく、遠隔監視器などの専用の端末機器を用いてもよい。特に、スマートフォンなどの汎用端末機器を外部表示器として使用すれば、専用の表示器を制作するコストが削減できるので、給水装置のコストを下げることができる。また、複数のユーザーが個々の汎用端末機器に給水装置１０の状態を表示させたり設定したりすることができるので、ユーザーのレベル又は目的に沿った表示操作を提供することが可能である。たとえば、マンションまたはビルの管理人のような給水装置に関する専門知識のないユーザーに対して、ポンプ３０Ａ，３０Ｂの制御に関する情報などを分かり易く知らせることができる給水装置を安価に提供することができる。
【００７２】
外部表示器８０は、近距離無線通信（ＮＦＣ：Near  Field  Communication）の技術によって制御部６５Ａと接続される。より具体的には、外部表示器８０を制御部６５Ａに近づけた状態で、表示器側アンテナ部８１が電波を発生すると、その電波を制御部側アンテナ部７６が受け取り、制御部側アンテナ部７６は電波を電力に変換する。この電力は集積回路７７および記憶部７８に供給されてこれら集積回路７７および記憶部７８を駆動する。外部表示器８０が記憶部７８のデータを読取る場合、集積回路７７は、電波に含まれる通信データに基づいて、記憶部７８に記憶されているデータを読み取り、制御部側アンテナ部７６にデータを送る。制御部側アンテナ部７６は、データとともに電波を表示器側アンテナ部８１に送信する。データリーダー８４は、表示器側アンテナ部８１が受信したデータを読み取り、そのデータを表示部８２に表示させる。また、外部表示器８０が記憶部７８のデータを変更する場合、集積回路７７は、電波に含まれる通信データに基づいて、記憶部７８のデータを変更し、制御部側アンテナ部７６にデータ変更が実行されたことを
意味するデータを送る。制御部側アンテナ部７６は、データとともに電波を表示器側アンテナ部８１に送信する。データリーダー８４は、表示器側アンテナ部８１が受信したデータを読み取り、データ変更が実行されたことを表示部８２に表示させる。
【００７３】
外部表示器８０は、表示を消去するためのクリアボタン８６と、データをリセットするためのリセットボタン（不図示）を備えていてもよい。ユーザーがクリアボタン８６を押すと、表示部８２の表示が消去される。また、リセットボタンを押すと、リセット信号が制御部６５Ａに送信され、リセット信号を受信した制御部６５Ａは、メンテナンス情報などのデータをリセットする。本実施形態のクリアボタン８６は、表示部８２の画面上に現れる仮想的なボタンであるが、クリアボタン８６は表示部８２の外に設けられた機械的なボタンであってもよい。なお、実施形態および変形例の制御部６５，６５Ａにクリアボタン、リセットボタンを設けてもよい。
【００７４】
変形例では、制御部６５Ａの記憶部７８に記憶されているデータは、無線通信により制御部６５Ａから外部表示器８０に送られる。変形例によれば、給水装置１０の電源が入っていない場合でも、制御部側アンテナ部７６は外部表示器８０から発せられる電波から電力を発生し、集積回路７７および記憶部７８を駆動することができる。したがって、給水装置１０のメンテンナンス中などにおいて制御部６５Ａに電力が供給されていないときでも、外部表示器８０は、制御部６５Ａの記憶部７８からデータを取得して表示したり、記憶部７８に記憶されているデータを変更することができる。なお、このときには、制御部６５Ａの集積回路７７が図５に示す設定情報変更処理を行ってもよい。
【００７５】
ＮＦＣは、数ｃｍの近距離にて相互通信する技術である。変形例の制御部６５Ａを給水装置１０の他の構成と一体に設けられている場合、外部表示器８０にて各種情報を表示または変更するときには、ユーザー及びメンテナンス員は、相互通信可能な距離まで外部表示器８０を制御部６５Ａに近づけることになる。このことは、外部表示器８０を操作するときは、ユーザーおよびメンテナンス員は給水装置１０の近くにいることを意味する。このため、例えば消耗品の交換作業中にリセットボタンが押されてポンプが起動するといった誤操作に起因した給水装置１０の予期しない動作を防止することに繋がる。また、複数の給水装置１０が設置された現場では、表示したい給水装置１０の近距離で相互通信が可能となる為、意図しない別の給水装置の状態を表示または設定変更してしまうという誤表示または誤操作を防止することが出来る。
【００７６】
なお、本実施形態または変形例の給水装置１０の通信部７３は、公衆回線やネットワーク、専用回線等を介して、保守管理会社または管理人室に設けられた遠隔監視装置(例えば、パソコン、スマートフォン、又は、専用モニター)と通信してもよいし、また、遠隔監視装置用の通信部（不図示）を別途設けてもよい。この場合、ポンプの運転情報等が、通信部７３もしくは遠隔監視装置用の通信部から遠隔監視装置に送信される。遠隔監視装置は、受信したデータを表示する表示部を備えてもよい。また、遠隔監視装置は給水装置１０から受信したデータを、外部表示器８０に送信してもよいし、外部表示器８０を経由して給水装置の状態を遠隔監視装置に送信してもよい。また、外部表示器８０および遠隔監視装置は、給水装置１０から受信したデータを外部サーバに送信して記憶させてもよい。また、遠隔監視装置から各種データの書き込みを行ってよいし、外部表示器から遠方監視装置へ各種データを書き込み更に遠方監視装置より給水装置１０へ各種データの書き込みを行ってもよい。このときには、給水装置１０は、外部表示器８０から設定情報の変更指令を受信したときと同様に、遠隔監視装置から設定情報の変更指令を受信したときに、上記した設定情報変更処理を実行して、遠隔監視装置の認証がなされたときに入力許可フラグＦｐに値１を設定すればよい。
【００７７】
また、装置情報には、給水装置１０の構成を示す機種識別情報（例えば機種名、型番な
ど）が含まれてもよい。また、制御部６５は、予め記憶された対応表を用いて、機種名から給水装置１０の装置情報（例えば、ポンプの台数、ポンプの出力、ポンプの口径、及び、給水方式のうち、少なくとも１つの情報）を取得してもよい。反対に、制御部６５は、記憶部７８に記憶されている装置情報に基づいて、給水装置の機種識別情報を取得してもよい。そして、制御部６５は、取得した装置情報または機種識別情報を外部表示器８０に表示させてもよい。
【００７８】
更には装置情報には、個別の給水装置１０を識別するためのシリアル番号が含まれてもよい。また、外部表示器８０および遠隔監視装置は、給水装置１０から受信したシリアル番号を外部サーバに送信し、外部サーバに記憶されたシリアル番号に対応した給水装置１０の装置情報（例えば、ポンプの台数、ポンプの出力、ポンプの口径、及び、給水方式のうち、少なくとも１つの情報）を取得してもよい。そして、取得した装置情報または機種識別情報にて、外部表示器８０にデータ表示をさせてもよいし、更には外部表示器８０より給水装置１０の設定変更を行ってもよい。更に、給水装置１０は、外部表示器８０を認証する際にシリアル番号に関連付けしたパスワードを用いても良い。このパスワードを外部サーバ上に保存管理し、外部表示器８０は給水装置１０に設定変更する度に外部サーバから認証パスワードを取得することで、認証におけるセキュリティが向上する。図８は、こうした内容を実現できる給水システム９０の一例を示す図である。なお、図８には、給水システム９０に加えて、外部表示器８０も示している。給水システム９０は、給水装置１０と、外部サーバ９２と、を備えている。外部サーバ９２には、複数の給水装置１０の個体識別情報（機種識別情報、シリアル番号など）が記憶されているとともに、個体識別情報に関連付けて認証用情報（認証パスワードなど）および装置情報が記憶されている。外部サーバ９２は、外部表示器８０および遠隔監視装置などの外部装置と通信可能であり、外部装置から個体識別情報を受信したときに、対応する認証用情報および装置情報を外部装置へ送信する。
【００７９】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【００８０】
１０…給水装置
２０…ベース
３０Ａ，３０Ｂ…ポンプ
４０…吐出配管
４５…連結配管
４８…圧力センサ
５０…圧力タンク
６０…制御盤
６５，６５Ａ…制御部
６６…制御用メモリ
６９…演算部
７０…Ｉ／Ｏ部
７１…設定部
７２…表示部
７３…通信部
７６…制御部側アンテナ部
７７…集積回路
７８…記憶部
７９…運転パネル
８０…外部表示器
８１…表示器側アンテナ部
８２…表示部
８３…バッテリー
８４…データリーダー
９０…給水システム
９２…外部サーバ
【図１】
2018062884.tif 000003
【図２】
2018062884.tif 000004
【図３】
2018062884.tif 000005
【図４】
2018062884.tif 000006
【図５】
2018062884.tif 000007
【図６】
2018062884.tif 000008
【図７】
2018062884.tif 000009
【図８】
2018062884.tif 000010